(57)【特許請求の範囲】
【請求項１】
引戸及び引戸の戸枠の一方に装着され、引戸走行面に垂直な回転軸の回りを回動できるように支承されたフランジ付のワイアドラムと、このワイアドラムの所定の角度位置においてフランジを連結するように装着されたワイア軸と、引出し端にワイア軸と嵌合する環状の端子を装着した引戸のクローザのワイアとを有し、ワイアドラムをワイアを引く方向に付勢すると共に、その付勢力を引戸のクローザのワイアを引き込む力よりも小さく設定したことを特徴とする引戸のクローザにおけるワイアのたるみ除去装置。
【発明の詳細な説明】
【０００１】
【発明の属する技術分野】
この発明は、引戸のクローザにおけるワイアのたるみ除去装置（以下単にたるみ除去装置という）に係り、特に、引戸のクローザのワイアの引出し端とワイアドラムとの連結部の構造を合理的にし、ワイアの折損事故を無くすようにしたたるみ除去装置に関する。
【０００２】
【従来の技術】
本出願人は先に、特願平１０−１４０５３６号を以て新規な引戸のクローザを提案した。
【０００３】
この引戸のクローザは、図１に示すように、一定の速度でワイア１を引き込むように構成された戸締め装置２を例えば引戸３に装着し、ワイア１の引出し端をたるみ除去装置４を介して引戸の戸枠５に掛け止める。
【０００４】
ちなみに、上記戸締め装置２は、図２に示すように、ゼンマイばねを内蔵した公知の定張力巻上げ装置６と、増速機７と、この増速機７に内蔵された一方向クラッチと、増速機７に連結された渦電流ブレーキ８とを有している。
【０００５】
そして、図１に示すように引戸３を開けると、定張力巻上げ装置６内のゼンマイばねが巻締められ、人が戸口を通過後引戸から手を離すと、そのゼンマイばねが解ける際に解放される弾力によりワイア１が戸締め装置２内に引き込まれるので引戸は自動的に閉止方向（図１で左方）に移動する。
【０００６】
この際、渦電流ブレーキの作用で引戸は緩衝されつつ移動するので、引戸閉止時引戸３が戸枠５に衝突して振動や騒音が発生することを防止する。
【０００７】
なお、上記ワイアは通常の意味における細い鋼鉄線の撚り線のみを言うのではなく、合成樹脂製の細い紐、細い金属製のチェーン等をも含むものとする。
【０００８】
しかしながら、上記した構成の引戸のクローザは、人が戸口を通過した後引戸を閉止方向に動かすと、引戸は強制的に閉止方向に動かされるが、定張力巻上げ装置６はブレーキ８によって制動を掛けられ、引戸の動きに追従してワイア１を引き込むことができないので、ワイア１にたるみが生じることがある。
【０００９】
このたるみを除去するため、上記本出願人の先の提案による引戸のクローザはたるみ除去装置を採用しており、このたるみ除去装置は要するにばねを内蔵したワイアの巻取ドラムである。
【００１０】
このたるみ除去装置は、例えば図３に示すように、ワイアドラム９の外周面に、先端にストッパー１１を有するワイア１の引出し端を、ワイアドラムのフランジ１２に固定されたワイア押さえ１３により挟み込んでワイアドラム９に固定する。
【００１１】
上記ワイアドラム９は、内蔵された定張力巻上げ装置６のゼンマイばねよりも小さい弾力の捩りコイルばね或いはゼンマイばねによって反時計方向に付勢されている。
【００１２】
そして、ワイア１にたるみが生じていない常態においては、図３に示すようにワイア１がワイアドラム９の回転軸を通り、戸締め装置２の案内滑車１４（図２参照）に外接するとき、ワイアドラム９は回転モーメントが生じない安定角度位置をとり、この安定角度位置は、ワイアドラム９にストッパーが内蔵されていなくとも一義的に定まる。
【００１３】
一方、前記したようにしてワイア１にたるみが生じた場合には、大きな慣性抵抗及び磁気抵抗を引き摺っている定張力巻上げ装置６よりも、慣性抵抗が小さくて身軽なワイアドラム９の方が素速く動き、図４に示すように、たるみ分のワイア１をワイアドラム９に巻き取ってたるみを除去する。
【００１４】
【発明が解決しようとする課題】
上記した構成のたるみ除去装置は勿論所期の機能を発揮するが、図３に示すように、ワイア押さえ１３の角の部分でワイア１が大きな曲率で曲げられるので、比較的少ない回数の作動でこの部分が折損して仕舞う、という不都合がある。
【００１５】
この発明は、上記した不都合を解消し、ワイアの折損事故が生じないたるみ除去装置を提供することを目的としている。
【００１６】
【課題を解決するための手段】
上記の目的を達成するため、この発明は、引戸及び引戸の戸枠の一方に装着され、引戸走行面に垂直な回転軸の回りを回動できるように支承されたフランジ付のワイアドラムと、このワイアドラムの所定の角度位置においてフランジを連結するように装着されたワイア軸と、引出し端にワイア軸と嵌合する環状の端子を装着した引戸のクローザのワイアとを有し、ワイアドラムをワイアを引く方向に付勢すると共に、その付勢力を引戸のクローザのワイアを引き込む力よりも小さく設定したことを特徴とする。
【００１７】
【発明の実施の態様】
以下、この発明の実施例を図図５乃至図８を参照して説明する。
これらの図において符号９はフランジ１２付のワイアドラムを示し、このワイアドラム９は、図７に示すように、戸枠５にねじ止めされた支軸１５により回動自在に軸支されている。
【００１８】
そして、ワイアドラム９には、支軸１５の先端に形成された雌ねじ部と螺合する押えビス１６により抜け止めが施されている。
【００１９】
また、上記支軸１５には捩りコイルばね１７が巻装されており、この捩りコイルばね１７の一端は内側に折り曲げられて支軸１５の先端部外周面に形成されたスリワリ１８と係合している（図６参照）。
【００２０】
更にまた、捩りコイルばね１７の他端はワイアドラム９に形成された図示しないばね掛け孔に係合しており、この捩りコイルばね１７の弾力によってワイアドラム９は図５及び図６において反時計方向に付勢されている。
【００２１】
一方、図６及び図７に示すように、ワイアドラムの外周部に形成された一対のフランジ１２、１２の所定の角度位置に、これらを相互に連結するようにワイア軸１９が装着されている。
【００２２】
図示の実施例におけるワイア軸１９は、両端に小径段部を形成し、その小径部をフランジに形成した小孔（図示せず）に内側から挿通させた後、外側からこれをかしめて固定する。
【００２３】
このワイア軸１９は、図６及び図７に示すように、ワイア１の引出し端に装着された環状の端子２１と相対回動可能に嵌合している。
【００２４】
なお、図３及び図４に示す従来のたるみ除去装置も含め、ワイアドラム９を適当な外箱で覆い、装置の見栄えを良くするを可とする。
【００２５】
また、ワイアドラム９を付勢するばね体は、捩りコイルばね１７に替えてゼンマイを採用してもよい。
【００２６】
上記のように構成されたこの発明によるたるみ除去装置は、ワイア１にたるみが生じない常態では、図５及び図６に示すように、ワイアドラム９の回転中心及びワイア軸１９を結んだ線がワイア１に沿って延長して案内滑車１４（図２参照）に外接する位置関係となる。
【００２７】
この常態ではワイアドラム９に対する回転モーメントがゼロになり、以後戸め装置２の作動中もこの位置関係が保たれる。
【００２８】
また、このときには、図から明らかなように、ワイア１の先端に装着された端子２１がワイア軸１９に回動可能に嵌合している関係上、ワイア１に作用する曲げモーメントは存在せず、ワイア１は真っ直ぐに延伸して無理な力が掛からない。
【００２９】
一方、ワイア１にたるみが生じた場合には、図８に示すように、ワイアドラム９が反時計方向に回動してワイア１の引出し端部を巻き取り、たるみを除去する。
【００３０】
このとき、ワイア軸１９の偏位に伴って端子２１が相対的に回動し、ワイア１に作用する曲げモーメントを自動的に解消する結果、ワイア１に曲げモーメントが生じない状態で、ワイア１は自然にワイアドラム９の外周面に巻き取られる。
【００３１】
なお、図８はたるみ除去装置の過渡的な状態を示すもので、短時間の内にたるみ除去装置よりも大きな引っ張り力を有する戸締め装置２の定張力巻上げ装置６がたるみを巻き取り、たるみ除去装置は図５及び図６に示す常態に戻る。
【００３２】
【発明の効果】
以上の説明から明らかなように、この発明は、ワイアドラムの所定の角度位置においてフランジを連結するようにワイア軸を装着し、このワイア軸にワイアの引出し端に装着した環状の端子を回動可能に嵌合させたので、ワイアに作用する曲げモーメントはワイア軸と環状の端子との相対回動によって解消され、ワイアに作用する曲げモーメントが皆無となる結果、ワイアの折損事故が生じないたるみ除去装置を提供する、という所期の効果を奏する。
【図面の簡単な説明】
【図１】本出願人が先に提案した引戸のクローザの取付状態を示す引戸の線図的正面図。
【図２】その戸締め装置の一部断面正面図。
【図３】従来のたるみ除去装置の一例を示す正面図で、ワイアにたるみが生じていない常態を示す。
【図４】従来のたるみ除去装置の一例を示す正面図で、ワイアに生じたたるみを巻き取った状態を示す。
【図５】本発明の一実施例によるたるみ除去装置の正面図で、ワイアにたるみが生じていない常態を示す。
【図６】その一部断面正面図。
【図７】本発明の一実施例によるたるみ除去装置の一部断面平面図。
【図８】図６と同様のたるみ除去装置の一部断面正面図で、ワイアに生じたたるみを巻き取った状態を示す。
【符号の説明】
１  ワイア
２  戸締め装置
３  引戸
４  たるみ除去装置
５  戸枠
９  ワイアドラム
１２  フランジ
１５  支軸
１７  捩りコイルばね
１９  ワイア軸
２１  端子
【図１】
0003976918.tif 000002
【図２】
0003976918.tif 000003
【図３】
0003976918.tif 000004
【図４】
0003976918.tif 000005
【図５】
0003976918.tif 000006
【図６】
0003976918.tif 000007
【図７】
0003976918.tif 000008
【図８】
0003976918.tif 000009